(57)【要約】【課題】  放熱板を冷却しつつ、送風の逆流によるサージング音の発生を防止する。【解決手段】  円周部送風路４ａと下流送風路４ｂから成る送風路４を形成し、且つ、円周部送風路４ａと下流送風路４ｂの境界位置に突出する舌部７を有するスクロールケーシング５とを備え、送風路４内に放熱板６が配置された送風機１において、放熱板６は、遠心ファン３の接線Ｌ１方向に沿って配置されると共に放熱板６の一端ａ１が当該接線Ｌ１の直径線Ｌ２よりも送風方向Ａの上流側に位置され、且つ、遠心ファン３の外周と舌部７とを結んだ線Ｌ３と、放熱板６の延長線Ｌ４とがスクロールケーシング５の吹出口側で交差ｂされ、且つ、遠心ファン３の外周からの最短距離Ｓ１と、スクロールケーシング５の内壁面からの最短距離Ｓ２と、スクロールケーシング５の外壁面からの最短距離Ｓ３とが共に遠心ファン３と舌部７間の距離Ｓよりも離れた位置に位置されるよう配置された。【選択図】      図１
2006275024.tif 000002
【特許請求の範囲】
【請求項１】
駆動源（２）の駆動で回転される遠心ファン（３）と、この遠心ファン（３）の外周を被いつつ、遠心ファン（３）の外周側にスクロール状の円周部送風路（４ａ）とこの円周部送風路（４ａ）に連続する下流送風路（４ｂ）からなる送風路（４）と該遠心ファン（３）の円周に沿って該円周部送風路（４ａ）の最上流部から最下流部に向かって突出する舌部（７）とを具備するスクロールケーシング（５）とを備え、該送風路（４）内に平板状の放熱板（６）が配置された送風機（１）において、
前記放熱板（６）は、
前記遠心ファン（３）の接線（Ｌ１）方向に沿って配置されると共に前記放熱板（６）の一端（ａ１）が当該接線（Ｌ１）の直径線（Ｌ２）よりも送風方向（Ａ）の上流側に、且つ、
前記遠心ファン（３）の外周と前記舌部（７）とを結んだ線（Ｌ３）と前記放熱板（６）の延長線（Ｌ４）とが前記スクロールケーシング（４）の吹出口側で交差（ｂ）し、且つ、
前記遠心ファン（３）の外周からの最短距離（Ｓ１）と、前記スクロールケーシング（５）の内壁面からの最短距離（Ｓ２）と、前記スクロールケーシング（５）の外壁面からの最短距離（Ｓ３）とが共に前記遠心ファン（３）と前記舌部（７）間の距離（Ｓ）よりも離れた位置に配置されたことを特徴とする送風機（１）。
【請求項２】
請求項１記載の送風機（１）であって、
前記放熱板（６）は、その端部（ａ２）が前記遠心ファン（３）の中心（Ｏ）と前記舌部（７）の先端とを結ぶ直線（Ｌ５）よりも送風方向（Ａ）の上流側に配置されたことを特徴とする送風機（１）。
【発明の詳細な説明】
【技術分野】
【０００１】
本発明は、送風路内に放熱板が配置されたスクロール式の送風機に関する。
【背景技術】
【０００２】
この種の従来の送風機としては、特許文献１に開示されたものがある。この送風機５０は、図４及び図５に示すように、モータ５１と、このモータ５１の駆動力で回転する遠心ファン５２と、遠心ファン５２の外周を被い、内部に送風路５３を形成するスクロールケーシング５４と、このスクロールケーシング５４内の送風路５３に配置された抵抗体の放熱板５５とを備えている。
【０００３】
スクロールケーシング５４の送風路５３は、遠心ファン５２の外周側の円周部送風路５３ａと、この円周部送風路５３ａに連続する下流送風路５３ｂとから構成されている。円周部送風路５３ａと下流送風路５３ｂとの境界位置では、スクロールケーシング５４の舌部５６が内周側から外周側に向かって突出されている。抵抗体の放熱板５５は、送風路５３の外壁面５４ａの近傍で、且つ、外壁面５４ａに沿って配置されている。
【０００４】
上記構成において、遠心ファン５２が回転すると、スクロールケーシング５４内に空気の回転流が発生し、この回転空気流によってスクロールケーシング５４の内周側が減圧され、外周側が加圧される。これによって内周側の空気吸引口よりスクロールケーシング５４内に空気が吸引され、スクロールケーシング５４内に吸引された空気が円周部送風路５３ａで回転流となって下流送風路５３ｂを介して下流の空調ユニット６０に送風される。この送風が放熱板５５の周囲を通過することによって放熱板５５が冷却される。このように、送風機５０の送風を利用して放熱板５５上の抵抗体を冷却するようになっている。
【特許文献１】実開平２−１４９３０４号公報
【発明の開示】
【発明が解決しようとする課題】
【０００５】
しかしながら、スクロール式の送風機５０では、円周部送風路５３ａと下流送風路５３ｂの境界位置で内周側から外周側に向かって舌部５６が配置されている。従って、送風路５３内の舌部５６の近傍領域は、円周部送風路５３ａの空気回転流Ｂの上流側となることや、円周部送風路５３ａから下流送風路５３ｂへの送風が回転空気流の遠心力を利用することから減圧領域となる。このように舌部５６の辛抱領域が減圧領域となると、下流送風路５３ｂに入り込んだ送風が舌部５６の近傍領域を通って円周部送風路５３ａに逆流し、逆流された空気が遠心ファン５２に吸引される。すると、このような送風の逆流によってサージング音が発生するという問題がある。
【０００６】
そこで、本発明は、放熱板を冷却しつつ、送風の逆流によるサージング音の発生を極力防止できる送風機を提供することを目的とする。
【課題を解決するための手段】
【０００７】
上記目的を達成する請求項１の発明は、駆動源の駆動で回転される遠心ファンと、この遠心ファンの外周を被いつつ、遠心ファンの外周側にスクロール状の円周部送風路とこの円周部送風路に連続する下流送風路からなる送風路と該遠心ファンの円周に沿って該円周部送風路の最上流部から最下流部に向かって突出する舌部とを具備するスクロールケーシングとを備え、該送風路内に平板状の放熱板が配置された送風機において、前記放熱板は、前記遠心ファンの接線方向に沿って配置されると共に前記放熱板の一端が当該接線の直径線よりも送風方向の上流側に、且つ、前記遠心ファンの外周と前記舌部とを結んだ線と前記放熱板の延長線とが前記スクロールケーシングの吹出口側で交差し、且つ、前記遠心ファンの外周からの最短距離と、前記スクロールケーシングの内壁面からの最短距離と、前記スクロールケーシングの外壁面からの最短距離とが共に前記遠心ファンと前記舌部間の距離よりも離れた位置に配置されたことを特徴とする。
【０００８】
請求項２の発明は、請求項１記載の送風機であって、前記放熱板は、その端部が前記遠心ファンの中心と前記舌部の先端とを結ぶ直線よりも送風方向の上流側に配置されたことを特徴とする。
【発明の効果】
【０００９】
本願発明によれば、遠心ファンが回転すると、円周部送風路に空気の回転流が発生し、この回転空気流が下流送風路を介して排出され、送風路に配置された放熱板の周囲を送風が通過する。又、このような円周部送風路から下流送風路への送風によって、円周部送風路と下流送風路の境界の舌部付近が減圧領域になり、下流送風路から円周部送風路に逆風が流れようとするが、その逆流の流れる位置に放熱板が配置されるため逆風の発生が極力阻止される。以上より、放熱板を放熱でき、しかも、送風の逆流によるサージング音の発生を極力防止できる。
【発明を実施するための最良の形態】
【００１０】
以下、本発明の一実施形態を図面に基づいて説明する。図１〜図３は本発明の一実施形態を示し、図１は送風機１の横断面図、図２は送風機１の平面図、図３は図２のＡ−Ａ線断面図である。
【００１１】
図１〜図３に示すように、送風機１は、駆動源であるモータ２（図３に示す）と、このモータ２の駆動力で回転する遠心ファン３と、遠心ファン３の外周を被い、内部に送風路４を形成するスクロールケーシング５と、このスクロールケーシング５の送風路４に配置された抵抗体の放熱板６とを備えている。
【００１２】
遠心ファン３は、多数のフィン部が円筒状に配置されている。遠心ファン３が回転すると、多数のフィン部間の空気が外周側に送り出すような空気流を形成する。
【００１３】
スクロールケーシング５の送風路４は、遠心ファン３の外周側に配置される円周部送風路４ａと、この円周部送風路４ａに連続する下流送風路４ｂとから構成されている。スクロールケーシング５には、遠心ファン３の円周に沿って円周部送風路４ａの最上流部から最下流部に向かって突出する舌部７（図１に示す）又、スクロールケーシング５の上下面で、且つ、遠心ファン３の内周位置には、空気吸い込み口８がそれぞれ形成されている。スクロールケーシング５の下流送風路４ｂの他端には、空気吹出し口（図示せず）が形成され、この空気吹き出し口にはエバポレータ等を内蔵する空調ユニット（図示せず）が接続される。
【００１４】
放熱板６は、平板状に形成され、例えばその表面に抵抗体が配設されており、少なくとも以下の３条件を満たす送風路４の位置に配置されている。第１に、放熱板６は、遠心ファン３の接線Ｌ１の方向に沿って、且つ、その一端ａ１が当該接線Ｌ１の直径線Ｌ２よりも送風方向Ａの上流側に位置されている。第２に、放熱板６は、遠心ファン３の外周と舌部７とを結んだ線Ｌ３と、放熱板６の延長線Ｌ４とがスクロールケーシング５の吹出口側で交差ｂするよう配置されている。第３に、放熱板６は、遠心ファン３の外周からの最短距離Ｓ１と、スクロールケーシング５の内壁面からの最短距離Ｓ２と、スクロールケーシング５の外壁面からの最短距離Ｓ３とが共に遠心ファン３と舌部７間の距離Ｓよりも離れた位置に配置されている。
【００１５】
つまり、放熱板６は、第１及び第２の条件より、送風路４の舌部７寄りの位置に配置されるが、円周部送風路４ａの回転空気流の流れを阻害せず、且つ、むしろ回転空気流のスムーズな流れを担保する位置に配置される。第３の条件より、放熱板６は、円周部送風路４ａの幅より狭くなるような箇所を新たに送風路４内に形成しない位置に設置される。
【００１６】
又、この実施形態では、上記３条件に加え、第４の条件として、放熱板６は、その他端ａ２が遠心ファン３の中心Ｏと舌部７の先端とを結ぶ直線Ｌ５よりも送風方向Ａの上流側に配置されている。
【００１７】
上記構成において、遠心ファン３が回転すると、遠心ファン３の内周側の圧力が外周側よりも下がり、空気吸い込み口８よりスクロールケーシング５内に空気が吸引される。この吸引された空気は遠心ファン３の回転によって円周部送風路４ａに送られ、遠心ファン３の回転によって回転流となる。円周部送風路４ａの空気回転流はその遠心力によって下流送風路４ｂを通って下流に送風される。そして、送風路４内に配置された放熱板６の周囲を送風が通過するため、放熱板６が冷却される。
【００１８】
又、送風路４内の送風は、円周部送風路４ａの空気回転流の遠心力によるため、円周部送風路４ａと下流送風路４ｂの境界位置では、その内周側である舌部７付近の圧力が低下して減圧領域になり、下流送風路４ｂから舌部７の近傍領域を通って送風が円周部送風路４ａに逆流しようとする。しかし、その逆流が形成される位置には放熱板６が配置されているため、逆風の発生が極力阻止される。
【００１９】
以上により、放熱板６を冷却しつつ、送風の逆流によるサージング音の発生を極力防止できる。
【００２０】
また、空気吸い込み口８から水が進入した場合には、比重の重い水は送風路４の外壁面に沿って、若しくは、外壁面の近傍を送風と共に流れるため、送風路４の内周側に配置された放熱板６に水が掛かる可能性が低減され、被水による故障が減少するという効果もある。
【図面の簡単な説明】
【００２１】
【図１】本発明の一実施形態を示し、送風機の横断面図である。
【図２】本発明の一実施形態を示し、送風機の平面図である。
【図３】本発明の一実施形態を示し、図２のＡ−Ａ線断面図である。
【図４】従来例の送風機の斜視図である。
【図５】従来例の送風機の横断面図である。
【符号の説明】
【００２２】
１  送風機
２  モータ（駆動源）
３  遠心ファン
４  送風路
４ａ  円周部送風路
４ｂ  下流送風路
５  スクロールケーシング
６  放熱板
７  舌部
【図１】
2006275024.tif 000003
【図２】
2006275024.tif 000004
【図３】
2006275024.tif 000005
【図４】
2006275024.tif 000006
【図５】
2006275024.tif 000007